(57)【要約】      （修正有）【課題】携帯電話機等の１２個の文字入力キーを備えているキー入力装置において、かな文字をローマ字入力する際に入力するローマ字の綴りと同じローマ字入力でキータッチ数を少なく日本語の入力ができるようにする。【解決手段】１２個ある文字入力キーの内、１個の文字入力キーを入力する文字を切り替える文字切替キーとして設定する。２６個の英語文字または句点（、）、読点（。）、長音符（ー）、ピリオド（．）、カンマ（，）等の記号を残りの１１個の文字入力キーに３個ずつ設定し、文字切替キーを操作して文字入力キーに設定した英語文字および記号のどれを入力対象とするかを切り替えて入力する。２６個の英語文字を１１個の文字入力キーに設定する際にローマ字入力でかな文字の母音および清音、濁音、半濁音、撥音を入力する際に使用する英語文字を文字入力キーの１番目と２番目の入力対象に設定する。【選択図】      図１
2004259242.tif 000002
【特許請求の範囲】
【請求項１】
１２個の文字を入力するキーを備えたキー入力装置において、入力する文字を切り替えるキーとして備えた１個の文字切替キー（３０）を操作して、文字を入力するキーとして備えた文字入力キー（１１〜２１）に３個ずつ設定した英語文字または句点（、）、読点（。）、長音符（ー）、ピリオド（．）、カンマ（，）等の記号のどれを入力対象とするかを切り替える手段を持つキー入力装置。
【請求項２】
上記、文字入力キー（１１〜２１）は母音を入力する際に使用する英語文字を別々の文字入力キー（１１〜２１）の入力対象の１番目に設定していることを特徴とする請求項１記載のキー入力装置。
【請求項３】
上記、文字入力キー（１１〜２１）はローマ字入力でかな文字に変換して清音とその濁音を入力する際に母音との組み合わせで使用する子音にあたる英語文字を文字入力キー（１１〜２１）の同じキーに設定して、１番目の入力対象に清音を入力する際に使用する英語文字、２番目の入力対象に濁音を入力する際に使用する英語文字を設定していることを特徴とする請求項１記載のキー入力装置。
【請求項４】
上記、文字入力キー（１１〜２１）は英語文字「Ｉ」と英語文字「Ｙ」を文字入力キー（１１〜２１）の同じキーに設定して、１番目の入力対象に英語文字「Ｉ」、２番目の入力対象に英語文字「Ｙ」を設定していることを特徴とする請求項１記載のキー入力装置。
【請求項５】
上記、文字入力キー（１１〜２１）は英語文字「Ｕ」と英語文字「Ｗ」を文字入力キー（１１〜２１）の同じキーに設定して、１番目の入力対象に英語文字「Ｕ」、２番目の入力対象に英語文字「Ｗ」を設定していることを特徴とする請求項１記載のキー入力装置。
【請求項６】
入力する文字を切り替えるキーとして備えた１個の文字切替キー（３０）を操作して、文字を入力するキーとして備えた文字入力キー（１１〜２１）に設定した英語文字または句点（、）、読点（。）、長音符（ー）、ピリオド（．）、カンマ（，）等の記号のどれを入力対象とするかを切り替える手段を持つ文字入力方法。
【発明の詳細な説明】
【０００１】
【発明の属する技術分野】本発明は携帯電話機等の１２個の文字入力キーを備えている日本語や英語を入力するキー入力装置とその文字入力方法に関する。
【０００２】
【従来の技術】広く普及しているかな文字の入力には、携帯電話機におけるひらがな入力がある。かな文字「あ」行から「わ」行までの１０個のキーを操作してかな文字を入力するものであるが、１つのキーにかな文字「あ」行から「ま」行までおよび、「ら」行には５個ずつのかな文字を設定して、かな文字「や」行、「わ」行には３個ずつのかな文字を設定して、連続してキーを操作することにより入力するかな文字を選択して入力する方法である。
【０００３】かな文字「お」を入力するのにはキーを５回連続で操作して入力することとなり、濁音、半濁音のかな文字を入力するのには清音のかな文字を入力するよりもさらに１回キーを多く操作する必要がある。
【０００４】また、かな文字「お」の小文字のかな文字「ぉ」を入力するのにはキーを１０回連続して操作することとなる。
【０００５】このようにキータッチ数が多く、またパーソナルコンピュータ等で一般に使われているローマ字入力によるかな文字入力ができない為に入力に時間がかかり、スムーズな入力ができにくい問題点がある。
【０００６】このような問題を解決するものとして示された、特開２００１−５５８９号公報に開示されたキー入力装置によれば、１５個のキーを縦５列横３行に配置し、キーの１列目５個のキーで母音を入力して残り２列の１０個のキーはかな文字「か」行から「わ」行までのかな文字を入力するための子音キーとして設定されており、子音と母音の組み合わせによって文字を入力するものである。
【０００７】
【発明が解決しようとする課題】ところで、この特開２００１−５５８９号公報に開示されたキー入力装置によれば、母音を入力するために設定した５個のキーとかな文字「か」行から「わ」行までを上記、母音キーとの組み合わせで入力する際に使用する１０個の子音キーと、計１５個のキーが必要となる。
【０００８】ところが、広く普及している携帯電話機の入力キーは「０」から「９」までのキーと「＊」、「＃」キーで縦４列、横３行の計１２個のキーにより構成されており、軽量化、小型化を図る上では１２個のキーを１５個のキーに拡張することは問題となってくる。
【０００９】また、特開２００１−５５８９号公報に開示されたものは、ローマ字入力によるかな文字入力ではあるが、パーソナルコンピュータ等で２６個の英語文字を使用してローマ字を入力する際に入力するローマ字の綴りと同じローマ字入力とはなっていない。
【００１０】そこで、本発明では携帯電話機等の１２個の文字入力キーを備えているキー入力装置において、２６個の英語文字および句点（、）、読点（。）、長音符（ー）、ピリオド（．）、カンマ（，）等の記号を入力する文字を切り替えるキーとして備えた１個の文字切替キー３０の操作によって、１個のキーに１個の英語文字を設定しているパーソナルコンピュータ等でかな文字をローマ字で入力する際に入力するローマ字の綴りと同じに全てのローマ字をキータッチ数が少なく入力することができるようにする。
【００１１】
【課題を解決するための手段】
【００１２】上記の課題を達成するために本発明では以下の方法を採用した。
１２個ある文字入力キーの内、１個の文字入力キーを入力する文字を切り替えるキーである文字切替キー３０として設定し、２６個の英語文字および句点（、）、読点（。）、長音符（ー）、ピリオド（．）、カンマ（，）等の記号を残りの１１個の文字入力キー（１１〜２１）に３個ずつ設定し、文字を切り替えるキーとして備えた１個の文字切替キー３０を操作して文字を入力するキーとして備えた文字入力キー（１１〜２１）に設定した英語文字および記号のどれを入力対象とするかを切り替える手段を持つ。
【００１３】また、母音を入力する際に使用する英語文字を別々の文字入力キー（１１〜２１）の１番目の入力対象として設定する。
【００１４】また、母音との組み合わせでかな文字の清音とそのかな文字の濁音を入力する際に使用する子音の英語文字を同じ文字入力キー（１１〜２１）の１番目、２番目の入力対象として設定する。
【００１５】また、英語文字「Ｉ」と英語文字「Ｙ」を同じ文字入力キー（１１〜２１）の１番目、２番目の入力対象として設定する。
【００１６】また、英語文字「Ｕ」と英語文字「Ｗ」を同じ文字入力キー（１１〜２１）の１番目、２番目の入力対象として設定する。
【００１７】上記により、２６個の英語文字および句点（、）、読点（。）、長音符（ー）、ピリオド（．）、カンマ（，）等の記号を文字切替キー３０を操作して１個のキーに１個の英語文字を設定しているパーソナルコンピュータ等でかな文字をローマ字入力する際に入力するローマ字と同じ綴りで入力することができる。
【００１８】このように英語文字を文字入力キー（１１〜２）に設定することにより、１番目、２番目に設定した英語文字でほとんど全てのローマ字を入力することができるのでキータッチ数を少なくローマ字入力によりかな文字を入力することができる。
【００１９】
【発明の実施の形態】以下、本発明の実施の形態について図面を参照して説明する。図１は本発明を適用したキー入力装置のキー操作部５０の正面図を示す１例である。
【００２０】図１に示したように、キー操作部５０は１個の文字切替キー３０と１１個の文字入力キー（１１〜２１）で構成されていて、文字入力キー（１１〜２１）には英語文字及び句点（、）、読点（。）、長音符（ー）、ピリオド（．）、カンマ（，）等の記号を３個ずつ設定している。
【００２１】また、入力モードキー４０はローマ字入力と英語入力を切り替えるキーとして設定している。
【００２２】図２は英語文字および記号を文字入力キー（１１〜２１）に設定した例を示したものである。図２の１番目、２番目、３番目は文字切替キー３０を操作して英語文字および記号を入力する際に何番目の入力対象となっているかを示したものである。
【００２３】図２に示したように、文字入力キー（１１〜２１）に英語文字を設定する際にローマ字入力でかな文字の母音を入力するのに使用する英語文字「Ａ」、「Ｉ」、「Ｕ」、「Ｅ」、「Ｏ」と、かな文字「か」行から「わ」行までを入力するのに使用する英語文字「Ｋ」、「Ｓ」、「Ｔ」、「Ｎ」、「Ｈ」、「Ｍ」、「Ｙ」、「Ｒ」、「Ｗ」と、かな文字「が」行、「ざ」行、「だ」行、「ば」行、「ぱ」行を入力する際に使用する英語文字「Ｇ」、「Ｚ」、「Ｄ」、「Ｂ」、「Ｐ」と、小文字を入力するのに使用する英語文字「Ｌ」、「Ｘ」と、上記以外のその他として英語文字「Ｃ」、「Ｆ」、「Ｊ」、「Ｑ」、「Ｖ」に分類して設定している。
【００２４】文字入力キー１１には母音の英語文字「Ａ」とローマ字入力では小文字を入力する際に使用するが英語文字「Ｘ」で代替できる英語文字「Ｌ」を設定している。
【００２５】文字入力キー１２には母音の英語文字「Ｉ」と、母音の英語文字「Ｉ」との組み合わせ入力ではローマ字「ＹＩ」はかな文字「い」と変換され英語文字「Ｉ」の入力で代替できるので英語文字「Ｙ」を設定している。
【００２６】文字入力キー１３には母音の英語文字「Ｕ」と、母音の英語文字「Ｕ」との組み合わせ入力ではローマ字「ＷＵ」はかな文字「う」と変換され英語文字「Ｕ」の入力で代替できるので英語文字「Ｗ」を設定している。
【００２７】文字入力キー１４には母音の英語文字「Ｅ」とローマ字入力では使用頻度の低いその他の英語文字「Ｑ」を設定している。
【００２８】文字入力キー１５には母音の英語文字「Ｏ」とローマ字入力では使用頻度の低いその他の英語文字「Ｃ」を設定している。
【００２９】文字入力キー１６にはかな文字「か」行を入力する際に使用する英語文字「Ｋ」とその濁音であるかな文字「が」行を入力する際に使用する英語文字「Ｇ」とその他の英語文字「Ｆ」を設定している。
【００３０】文字入力キー１７にはかな文字「さ」行を入力する際に使用する英語文字「Ｓ」とその濁音であるかな文字「ざ」行を入力する際に使用する英語文字「Ｚ」と小文字を入力する際に使用する英語文字「Ｘ」を設定している。
【００３１】文字入力キー１８にはかな文字「な」行及び「ん」を入力する際に使用する英語文字「Ｎ」とかな文字「ら」行を入力する際に使用する英語文字「Ｒ」とその他の英語文字「Ｊ」を設定している。またローマ字でかな文字「ん」を入力する際には「ＮＮ」と文字入力キー１８を２回連続して操作するので英語文字「Ｎ」を中央よりの位置である文字入力キー１８に設定している。
【００３２】文字入力キー１９にはかな文字「は」行を入力する際に使用する英語文字「Ｈ」とその濁音であるかな文字「ば」行を入力する際に使用する英語文字「Ｂ」を設定している。
【００３３】文字入力キー２０にはかな文字「た」行を入力する際に使用する英語文字「Ｔ」とその濁音であるかな文字「だ」行を入力する際に使用する英語文字「Ｄ」とカタカナ文字「ヴ」を入力する際に使用するがローマ字入力では使用頻度の低いその他の英語文字「Ｖ」を設定している。またローマ字でかな文字の促音「っ」とかな文字「た」行を入力する際には「ＴＴＡ」と文字入力キー２０を２回連続して操作するので英語文字「Ｔ」を中央よりの位置である文字入力キー２０に設定している。
【００３４】また、文字入力キー２１にはかな文字「ま」行を入力する際に使用する英語文字「Ｍ」とかな文字「ぱ」行を入力する際に使用する英語文字「Ｐ」を設定している。
【００３５】このように、英語文字を文字入力キー（１１〜２１）に設定したことにより、１番目、２番目の入力対象として設定した英語文字を使用してほとんど全てのローマ字入力によるかな文字入力ができるようになっている。
【００３６】この例では、かな文字「ら」行を入力する際に使用する英語文字「Ｒ」を文字入力キー（１１〜２１）の入力対象の２番目の文字として設定したが、かな文字「ま」行を入力する際に使用する英語文字「Ｍ」を入力対象の２番目の文字として設定しても良い。
【００３７】次に文字切替キー３０の操作について説明する。１個の文字切替キー３０を備えて、文字入力キー（１１〜２１）に設定した３個ずつの英語文字および句点（、）、読点（。）、長音符（ー）、ピリオド（．）、カンマ（，）等の記号のどれを入力対象とするかを切り替えて入力する。また、文字切替キー３０を操作しない状態で文字入力キー（１１〜２１）を操作した場合は文字入力キー（１１〜２１）の１番目の入力対象に設定した文字の入力とする。
【００３８】また、文字切替キー３０を１回操作したあとで文字入力キー（１１〜２１）を連続して操作した場合は文字入力キー（１１〜２１）の２番目の入力対象に設定した文字の入力とする。
【００３９】また、文字切替キー３０を２回連続して操作したあとで文字入力キー（１１〜２１）を連続して操作した場合は文字入力キー（１１〜２１）の３番目に設定した文字の入力とする。
【００４０】また、文字切替キー３０を３回連続して操作したあとで連続して文字入力キーを操作した場合は文字入力キー（１１〜２１）の１番目に設定した文字の入力に戻る。
【００４１】このように文字切替キー３０を操作して文字入力キー（１１〜２１）に設定した英語文字および句点（、）、読点（。）、長音符（ー）、ピリオド（．）、カンマ（，）等の記号のどれを入力対象とするかを切り替える。
【００４２】また、連続して文字入力キー（１１〜２１）を操作した場合は今回操作した文字入力キー（１１〜２１）と前回操作した文字入力キー（１１〜２１）が同じ場合は前回と同じ文字の入力とする。
【００４３】また、連続して文字入力キー（１１〜２１）を操作した場合で今回操作した文字入力キー（１１〜２１）と前回操作した文字入力キー（１１〜２１）が異なる場合には今回は文字入力キー（１１〜２１）の１番目の入力対象として設定した文字の入力とする。
【００４４】次に２６個の英語文字および句点（、）、読点（。）、長音符（ー）、ピリオド（．）、カンマ（，）等の記号の入力について説明をする。以下は文字切替キー３０および文字入力キー（１１〜２１）が操作されていない状態からの説明である。
【００４５】文字入力キー（１１〜２１）の１番目に設定した英語文字「Ａ」、「Ｉ」、「Ｕ」、「Ｅ」、「Ｏ」、「Ｋ」、「Ｓ」、「Ｎ」、「Ｈ」、「Ｔ」、「Ｍ」を入力する際にはそれぞれ該当の文字入力キー（１１〜２１）を１回操作する。
【００４６】文字入力キー（１１〜２１）の２番目に設定した英語文字「Ｌ」、「Ｙ」、「Ｗ」、「Ｑ」、「Ｃ」、「Ｇ」、「Ｚ」、「Ｒ」、「Ｂ」、「Ｄ」、「Ｐ」を入力する際には文字切替キー３０を１回操作したあとで連続してそれぞれ該当の文字入力キー（１１〜２１）を１回操作する。
【００４７】文字入力キー（１１〜２１）の３番目に設定した英語文字「Ｆ」、「Ｘ」、「Ｊ」、「Ｖ」を入力する際には文字切替キー３０を２回連続して操作したあとで連続してそれぞれ該当の文字入力キー（１１〜２１）を１回操作する。
【００４８】次に同じ英語文字を続けて入力する方法は以下となる。「ＡＡ」と文字入力キー１１の１番目の入力対象に設定した英語文字を連続して入力する際には文字入力キー１１を２回連続して操作する。
【００４９】また、「ＬＬ」と文字入力キー１１の２番目の入力対象に設定した英語文字を２回連続して入力する際には文字切替キー３０を１回操作したあとで文字入力キー１１を２回連続して操作する。
【００５０】「ＦＦ」と文字入力キー１６の３番目の入力対象に設定した英語文字を連続して入力する際には文字切替キー３０を２回連続で操作したあとで連続して文字入力キー１６を２回連続して操作する。
【００５１】文字入力キー（１１〜２１）の３番目の入力対象に設定した句点（、）、読点（。）、長音符（ー）、ピリオド（．）、カンマ（，）等の記号を入力する際には英語文字の入力と同じに文字切替キー３０を２回連続して操作したあとで連続してそれぞれ該当の文字入力キー（１１〜２１）を１回操作する。
【００５２】また、入力モードキー４０でローマ字入力と英語入力を切り替えて、図２に示したローマ字入力の記号と英語入力の記号を切り替えて入力する。
【００５３】次にローマ字入力によるかな文字の入力方法について説明する。清音及び「ん」のローマ字入力する方法は以下となる。母音のかな文字「あ」、「い」、「う」、「え」、「お」を入力する際には英語文字「Ａ」、「Ｉ」、「Ｕ」、「Ｅ」、「Ｏ」のキーである、文字入力キー（１１〜１５）を１回操作する。
【００５４】また、かな文字「か」行、「さ」行、「た」行、「な」行、「は」行、「ま」行を入力する際にはそれぞれ英語文字「Ｋ」の文字入力キー１６、「Ｓ」の文字入力キー１７、英語文字「Ｔ」の文字入力キー２０、英語文字「Ｎ」の文字入力キー１８、英語文字「Ｈ」の文字入力キー１９、英語文字「Ｍ」の文字入力キー２１を１回操作したあとで連続して母音キーである文字入力キー（１１〜１５）を１回操作する。
【００５５】かな文字「や」行、「ら」行、「わ」行を入力する際にはそれぞれ、文字切替キー３０を１回操作したあと、連続してそれぞれ英語文字「Ｙ」の文字入力キー１２、英語文字「Ｒ」の文字入力キー１８、英語文字「Ｗ」の文字入力キー１３を１回操作したあと、連続して母音キーである文字入力キー（１１〜１５）を１回操作する。
【００５６】また、かな文字「ん」を入力する際には「Ｎ」の文字入力キー１８を２回連続して操作する。
【００５７】次に濁音を入力する方法は以下となる。かな文字「が」行、「ざ」行、「だ」行、「ば」行を入力する際には文字切替キー３０を１回操作したあと、連続してそれぞれ英語文字「Ｇ」の文字入力キー１６、英語文字「Ｚ」の文字入力キー１７、「Ｄ」の文字入力キー２０、英語文字「Ｂ」の文字入力キー１９を１回操作したあと、連続して母音キーである文字入力キー（１１〜１５）を１回操作する。
【００５８】次に半濁音を入力する方法については以下となる。かな文字「ぱ」行を入力する際には文字切替キー３０を１回操作したあと、連続して英語文字「Ｐ」の文字入力キー２１を１回操作したあと、連続して母音キーである文字入力キー（１１〜１５）を１回操作する。
【００５９】次に文字切替キー３０を操作することにより入力する英語文字及び記号を切り替える方法の実現について図で説明する。図３は本発明を適用したキー入力装置の全体構成を示したものである。ＣＰＵ（Ｃｅｎｔｒａｌ  Ｐｒｏｃｅｓｓｉｎｇ  Ｕｎｉｔ）６０にはキー操作部５０とプログラム及びＯＳ（Ｏｐｅｒａｔｉｎｇ  Ｓｙｓｔｅｍ）を格納するＲＯＭ（Ｒｅａｄ  Ｏｎｌｙ  Ｍｅｍｏｒｙ）６１とメインメモリであるＲＡＭ（Ｒａｎｄｏｍ  Ａｃｃｅｓｓ  Ｍｅｍｏｒｙ）６２と入力文字の表示部７０が接続されている。
【００６０】図４はキー操作時の全体フローチャートについて示したものである。まず、キー操作部５０で操作したキーが文字切替キー３０か（ステップＳ１）、文字入力キー（１１〜２１）か、それ以外のキーか（ステップＳ２）をＲＯＭ６１に搭載したプログラムによりＣＰＵ６０を介して判断する。
【００６１】図５は操作したキーが文字切替キー３０（ステップＳ３）のフローチャートを示したものである。
【００６２】まず、前回操作したキーが文字切替キー３０以外の場合（ステップＳ１１）は入力対象を２番目の文字としてＲＡＭ６２に記憶する。（ステップＳ１３）
【００６３】次に、前回操作したキーが文字切替キー３０の場合（ステップＳ１１）、つまり連続して文字切替キー３０が操作した場合は、何番目の文字が入力対象となっているかをＲＡＭ６２より読み込んで、入力対象が３番目の文字の場合（ステップＳ１２）は入力対象を１番目の文字としてＲＡＭ６２に記憶する。（ステップＳ１４）
【００６４】また、入力対象が３番目の文字ではない場合（ステップＳ１２）は何番目の文字が入力対象となっているかをＲＡＭ６２より読み込んで、入力対象が１番目の文字の場合は入力対象を２番目の文字として、入力対象が２番目の文字の場合は入力対象を３番目の文字としてＲＡＭ６２に記憶する。（ステップＳ１５）
【００６５】図６は操作したキーが文字入力キー（１１〜２１）（ステップＳ４）のフローチャートを示したものである。ＲＡＭ６２より前回操作したキーを読み込んで、前回操作したキーが文字入力キー（１１〜２１）で（ステップＳ２１）、かつ今回操作した文字入力キー（１１〜２１）と前回操作した文字入力キー（１１〜２１）が同じキーではない場合（ステップＳ２２）はの入力対象を１番目の文字としてＲＡＭ６２に記憶する。（ステップＳ２３）
【００６６】入力モードがローマ字入力の場合（ステップＳ２４）は何番目の文字が入力対象となっているかをＲＡＭ６２より読み込んで、入力対象の英語文字とすでに入力されている英語文字をＲＡＭ６２より読み込んで、ＲＯＭ６１に搭載したプログラムによりＣＰＵ６０を介して入力した英語文字とすでに入力されている英語文字をローマ字からかな文字に変換して変換したかな文字および記号を入力文字の表示部７０に表示する。（ステップＳ２５）例えば英語文字で「ＫＡ」を入力した際にはかな文字の「か」に変換する。この際、かな文字に変換されなかった英語文字はそのまま表示する。
【００６７】入力モードがローマ字入力ではない場合、つまり英語入力の場合（ステップＳ２４）は何番目の文字が入力対象となっているかをＲＡＭ６２より読み込んで、入力対象の英語文字および記号を入力文字の表示部７０に表示する。（ステップＳ２６）
【００６８】入力した英語文字および記号と変換したかな文字をＲＡＭ６２に記憶する。（ステップＳ２７）
【００６９】また、どの文字入力キー（１１〜２１）を操作したかをＲＡＭ６２に記憶する。（ステップＳ２８）
【００７０】図４において文字切替キー３０および文字入力キー（１１〜２１）以外のキーを操作した場合（ステップＳ２）は入力対象を１番目の文字としてＲＡＭ６２に記憶する。（ステップＳ５）
【００７１】図４において今回操作したキーが文字切替キー３０か、文字入力キー（１１〜２１）か、それ以外のキーのキーかをＲＡＭ６２に記憶する。（ステップＳ６）
【００７２】また、本発明は携帯電話機以外にも１２個の文字入力キーを備えていれば、ＰＤＡ（Ｐｅｒｓｏｎａｌ  Ｄｉｇｉｔａｌ  Ａｓｓｉｓｔａｎｃｅ）、電子手帳、小型ワードプロセッサー、小型パーソナルコンピュータ等のキー入力に適用しても良い。
【００７３】
【発明の効果】携帯電話機等の１２個の文字入力キーを備えているキー入力装置において、１個のキーに１個の英語文字を設定しているパーソナルコンピュータ等でかな文字をローマ字入力する際に入力するローマ字の綴りと同じに全てのローマ字をキータッチ数が少なく入力することができる。日本語の入力をパーソナルコンピュータ等で慣れ親しんでいるローマ字入力によりスムーズにできるようになる。特に両手を使った場合は日本語および英語を速く入力することができる。
【図面の簡単な説明】
【図１】本発明を適用したキー入力装置のキー操作部の１例を示す正面図である。
【図２】英語文字および記号の設定の１例を示した図である。
【図３】本発明の構成を示した図である。
【図４】キー操作時の全体フローチャートである。
【図５】文字切替キー操作時のフローチャートである。
【図６】文字入力キー操作時のフローチャートである。
【符号の説明】
１１〜２１  文字入力キー
３０  文字切替キー
４０  入力モードキー
５０  キー操作部
６０  ＣＰＵ（Ｃｅｎｔｒａｌ  Ｐｒｏｃｅｓｓｉｎｇ  Ｕｎｉｔ）
６１  ＲＯＭ（Ｒｅａｄ  Ｏｎｌｙ  Ｍｅｍｏｒｙ）
６２  ＲＡＭ（Ｒａｎｄｏｍ  Ａｃｃｅｓｓ  Ｍｅｍｏｒｙ）
７０  入力文字の表示部
【図１】
2004259242.tif 000003
【図２】
2004259242.tif 000004
【図３】
2004259242.tif 000005
【図４】
2004259242.tif 000006
【図５】
2004259242.tif 000007
【図６】
2004259242.tif 000008